(57)【要約】【課題】  フラッディングの発生を抑制するスイッチングハブを提供する。【解決手段】  スイッチングハブ１において、ある受信フレームをフィルタリングにより特定の送信ポート＃１から送信するときに、フィルタリングデータベース１０に新規にＭＡＣアドレスが登録された場合には、その受信フレームを受信ポート＃２でもなくフィルタリングによる送信ポート＃１でもない他のポート＃３からも送信することで、スイッチングハブ３での登録を発生させる。【選択図】  図１
2007067894.tif 000002
【特許請求の範囲】
【請求項１】
複数のポートと、これらのポートで受信したフレームの送信元ＭＡＣアドレスをポートに対応させて登録するフィルタリングデータベースとを有し、これらのポートで受信したフレームの宛先ＭＡＣアドレスで上記フィルタリングデータベースを参照してフィルタリングを行うスイッチングハブにおいて、ある受信フレームをフィルタリングにより特定の送信ポートから送信するときに、上記フィルタリングデータベースに新規にＭＡＣアドレスが登録された場合には、その受信フレームを受信ポートでもなくフィルタリングによる送信ポートでもない他のポートからも送信することを特徴とするスイッチングハブ。
【請求項２】
受信フレームを受信ポートでなくフィルタリングによる送信ポートでもない他のポートからも送信する上記の場合には、上記他のポートから送信するフレームの宛先ＭＡＣアドレスをブロードキャストアドレスに書き替えることを特徴とする請求項１記載のスイッチングハブ。
【発明の詳細な説明】
【技術分野】
【０００１】
本発明は、フレーム中のＭＡＣアドレスに基づいてフィルタリングかフラッディングを行うスイッチングハブに係り、フラッディングの発生を抑制するスイッチングハブに関する。
【背景技術】
【０００２】
スイッチングハブとは、複数のポートと、これらのポートに対応させて端末のＭＡＣアドレスを登録したフィルタリングデータベース（以下、ＦＤＢという）を有し、ポートで受信したフレームを他のポートへ転送する際に、フレームの宛先ＭＡＣアドレスでこのＦＤＢを参照して特定のポートへの転送（フィルタリング）を行うものである。該当するＭＡＣアドレスの登録がＦＤＢになければフラッディングを行う。以下、スイッチングハブの特徴を詳しく述べる。
【０００３】
スイッチングハブは、ポートでフレームを受信したとき、その受信フレームの送信元ＭＡＣアドレスを読み取り、そのＭＡＣアドレスがＦＤＢに登録されていなければ、そのＭＡＣアドレスをそのフレームの受信ポートに対応付けてＦＤＢに登録する。これにより、このポートは、いま登録したＭＡＣアドレスを持つ端末が接続されているということになる。
【０００４】
スイッチングハブは、ポートでフレームを受信したとき、その受信フレームの宛先ＭＡＣアドレスを読み取り、そのＭＡＣアドレスがＦＤＢに登録されていれば、そのＭＡＣアドレスに対応して登録されているポートを転送先ポート（送信ポート）と判定し、その転送先ポートのみに受信フレームを転送する。これにより、上記受信フレームはその送信ポートから送信されることになる。この送信ポートには前述のようにＦＤＢに登録されたＭＡＣアドレスを持つ端末が接続されているので、送信ポートから送信されたフレームは宛先端末ＭＡＣアドレスを持つ端末に正しく中継される。このように、端末が接続されていることが分かっているポートのみに受信フレームを転送することをフィルタリングと呼ぶ。
【０００５】
また、受信フレームの宛先ＭＡＣアドレスがＦＤＢに登録されていなければ、このＭＡＣアドレスを持つ端末がどのポートに接続されているのか不明ということであるから、受信ポートを除く全てのポートに受信フレームを転送し、これらのポートからそのフレームを送信する。これにより、受信フレームの宛先ＭＡＣアドレスとなっているＭＡＣアドレスを持つ端末がどれかのポートに接続されていれば、フレームがその端末に中継されることが期待できる。このように受信フレームを受信ポート以外の全てのポートに転送することをフラッディングという。
【０００６】
【特許文献１】特開２００３−２９０３６２号公報
【非特許文献１】「１０ギガビットＥｔｈｅｒｎｅｔ教科書」、石田修、瀬戸康一郎、株式会社ＩＤＧジャパン、２００２年４月２０日発行、第７３〜７５頁
【発明の開示】
【発明が解決しようとする課題】
【０００７】
スイッチングハブはフレームを受信すると、ＦＤＢを参照することでフィルタリングまたはフラッディングを行う。フラッディングは、受信ポートを除く全てのポートからフレームを送信するため、ネットワークの負荷を高めることになる。
【０００８】
いま、図７に示されるように、ＭＡＣアドレス００：００：００：００：００：０ａの端末ａがスイッチングハブ１のポート＃１に接続され、ＭＡＣアドレス００：００：００：００：００：０ｂの端末ｂがスイッチングハブ２のポート＃２に接続され、ＭＡＣアドレス００：００：００：００：００：０ｃの端末ｃがスイッチングハブ３のポート＃２に接続され、ＭＡＣアドレス００：００：００：００：００：０ｄの端末ｄがスイッチングハブ３のポート＃３に接続されている。スイッチングハブ１のポート＃２はスイッチングハブ２のポート＃１と接続され、スイッチングハブ１のポート＃３はスイッチングハブ３のポート＃１と接続されている。スイッチングハブ１，２，３は、それぞれＦＤＢ１０，２０，３０を持つ。図７では、それぞれのスイッチングハブ１，２，３のＦＤＢ１０，２０，３０には何も登録されていない。
【０００９】
ここで、端末ａが端末ｂ宛てにフレームを送信した場合、スイッチングハブ１は、ＦＤＢ１０にＭＡＣアドレス００：００：００：００：００：０ｂの登録がないため、フラッディングを行い、また、ＦＤＢ１０に００：００：００：００：００：０ａとそれに対応するポート＃１（記憶するのはポート番号を表す数値；以下同様）を新規に登録する。
【００１０】
続いて、スイッチングハブ１が送信元端末ａ、宛先端末ｂのフレームをフラッディングしたことで、そのフレームはスイッチングハブ２のポート＃１において受信される。スイッチングハブ２では、ＦＤＢ２０にＭＡＣアドレス００：００：００：００：００：０ｂの登録がないため、フラッディングを行い、また、ＦＤＢ２０に００：００：００：００：００：０ａとそれに対応するポート＃１を新規に登録する。このようにフラッディングを行った結果、端末ａから送信されたフレームが端末ｂに中継される。
【００１１】
一方、スイッチングハブ１が送信元端末ａ、宛先端末ｂの上記フレームをフラッディングしたことで、そのフレームはスイッチングハブ３のポート＃１においても受信される。スイッチングハブ３では、ＦＤＢ３０にＭＡＣアドレス００：００：００：００：００：０ｂの登録がないため、フラッディングを行い、また、ＦＤＢ３０に００：００：００：００：００：０ａとそれに対応するポート＃１を新規に登録する。端末ｃと端末ｄへ中継されたフレームはそれぞれ端末ｃと端末ｄにおいて破棄される。
【００１２】
ここまでの動作により、それぞれのスイッチングハブ１，２，３のＦＤＢ１０，２０，３０の状態は図８のようになる。すなわち、全てのスイッチングハブ１，２，３のＦＤＢ１０，２０，３０にＭＡＣアドレス００：００：００：００：００：０ａとそれに対応するポートが登録されている。
【００１３】
その次に、端末ｂが端末ａ宛てのフレームを送信した場合、そのフレームはスイッチングハブ２のポート＃２で受信される。スイッチングハブ２は、ＦＤＢ２０にＭＡＣアドレス００：００：００：００：００：０ａが登録されているため、そのフレームをポート＃１から送信し、また、ＦＤＢ２０にＭＡＣアドレス００：００：００：００：００：０ｂとそれに対応するポート＃２を新規に登録する。
【００１４】
スイッチングハブ１がポート＃２において送信元端末ｂ、宛先端末ａのフレームを受信すると、スイッチングハブ１は、ＦＤＢ１０にＭＡＣアドレス００：００：００：００：００：０ａが登録されているため、フレームをポート＃１から送信し、また、ＦＤＢ１０にＭＡＣアドレス００：００：００：００：００：０ｂとそれに対応するポート＃２を新規に登録する。このようにフィルタリングを行った結果、端末ｂから送信されたフレームが端末ａに中継される。
【００１５】
ここまでの動作により、それぞれのスイッチングハブ１，２，３のＦＤＢ１０，２０，３０の状態は図９のようになる。すなわち、スイッチングハブ１，２のＦＤＢ１０，２０にＭＡＣアドレス００：００：００：００：００：０ｂとそれに対応するポートが登録されている。
【００１６】
次に、図９の状態で、端末ｃが端末ｂ宛てのフレームを送信した場合、そのフレームはスイッチングハブ３のポート＃２で受信される。スイッチングハブ３は、ＦＤＢ３０にＭＡＣアドレス００：００：００：００：００：０ｂが登録されていないため、フラッディングを行い、また、ＦＤＢ３０に００：００：００：００：００：０ｃとそれに対応するポート＃２を新規に登録する。フラッディングにより、フレームはポート＃１，＃３から送信される。このフレームは端末ｄにおいては破棄される。このフレームは、スイッチングハブ１においてはＦＤＢ１０でのフィルタリングによりポート＃２から送信され、さらに、スイッチングハブ２においてはＦＤＢ２０でのフィルタリングによりポート＃２から送信され、端末ｂに中継される。このとき、スイッチングハブ１のＦＤＢ１０には、ＭＡＣアドレス００：００：００：００：００：０ｃとポート＃３、スイッチングハブ２のＦＤＢ２０には、ＭＡＣアドレス００：００：００：００：００：０ｃとポート＃１がそれぞれ対応付けて登録される。
【００１７】
ここまでの動作により、それぞれのスイッチングハブ１，２，３のＦＤＢ１０，２０，３０の状態は図１０のようになる。すなわち、全てのスイッチングハブ１，２，３のＦＤＢ１０，２０，３０にＭＡＣアドレス００：００：００：００：００：０ｃとそれに対応するポートが登録されている。
【００１８】
さて、従来技術の問題点として、図１０の状態では、端末ｂのＭＡＣアドレスがＦＤＢ３０に登録されていない。この後、スイッチングハブ３は、端末ｂが端末ｄ宛て（または端末ｃ宛て）のフレームを送信しない限り、端末ｂのＭＡＣアドレスをＦＤＢ３０に登録することができない。そのため、スイッチングハブ３においては、端末ｂ宛てのフレームは必ずフラッディングされることになる。
【００１９】
そこで、本発明の目的は、上記課題を解決し、フラッディングの発生を抑制するスイッチングハブを提供することにある。
【課題を解決するための手段】
【００２０】
上記目的を達成するために本発明は、複数のポートと、これらのポートで受信したフレームの送信元ＭＡＣアドレスをポートに対応させて登録するフィルタリングデータベースとを有し、これらのポートで受信したフレームの宛先ＭＡＣアドレスで上記フィルタリングデータベースを参照してフィルタリングを行うスイッチングハブにおいて、ある受信フレームをフィルタリングにより特定の送信ポートから送信するときに、上記フィルタリングデータベースに新規にＭＡＣアドレスが登録された場合には、その受信フレームを受信ポートでもなくフィルタリングによる送信ポートでもない他のポートからも送信するものである。
【００２１】
受信フレームを受信ポートでなくフィルタリングによる送信ポートでもない他のポートからも送信する上記の場合には、上記他のポートから送信するフレームの宛先ＭＡＣアドレスをブロードキャストアドレスに書き替えてもよい。
【発明の効果】
【００２２】
本発明は次の如き優れた効果を発揮する。
【００２３】
（１）フラッディングの発生を抑制することができる。
【発明を実施するための最良の形態】
【００２４】
以下、本発明の一実施形態を添付図面に基づいて詳述する。
【００２５】
本実施形態のスイッチングハブは、フィルタリングに伴ってＦＤＢに新規登録が発生したときに、フレームの宛先ＭＡＣアドレスをブロードキャストアドレスに書き換え、受信ポートと転送先ポート（送信ポート）以外の全ポートからこのブロードキャストフレームを送信することで、当該スイッチングハブに接続されている別のスイッチングハブにおいてもＦＤＢにＭＡＣアドレス（フィルタリングをしたフレームの送信元ＭＡＣアドレス）の登録が行えるようにするものである。
【００２６】
いま、図１に示されるように、ＭＡＣアドレス００：００：００：００：００：０ａの端末ａがスイッチングハブ１のポート＃１に接続され、ＭＡＣアドレス００：００：００：００：００：０ｂの端末ｂがスイッチングハブ２のポート＃２に接続され、ＭＡＣアドレス００：００：００：００：００：０ｃの端末ｃがスイッチングハブ３のポート＃２に接続され、ＭＡＣアドレス００：００：００：００：００：０ｄの端末ｄがスイッチングハブ３のポート＃３に接続されている。スイッチングハブ１のポート＃２はスイッチングハブ２のポート＃１と接続され、スイッチングハブ１のポート＃３はスイッチングハブ３のポート＃１と接続されている。スイッチングハブ１，２，３は、それぞれＦＤＢ１０，２０，３０を持つ。図１では、それぞれのスイッチングハブ１，２，３のＦＤＢ１０，２０，３０には何も登録されていない。つまり、ネットワーク構成も状態も図７と同じである。
【００２７】
ここで、端末ａが端末ｂ宛てにフレームを送信すると、このフレームは、スイッチングハブ１，２，３で相次いでフラッディングされ、端末ｂに中継される。また、ＦＤＢ１０，２０には、００：００：００：００：００：０ａとそれに対応するポートが新規に登録される。その結果、それぞれのＦＤＢ１０，２０，３０の状態は、図２のようになる。
【００２８】
その次に、端末ｂが端末ａ宛てのフレームを送信した場合、そのフレームは、スイッチングハブ２のＦＤＢ２０にＭＡＣアドレス００：００：００：００：００：０ａが登録されているため、スイッチングハブ２のポート＃１から送信される。また、ＦＤＢ２０にはＭＡＣアドレス００：００：００：００：００：０ｂとそれに対応するポート＃２が新規に登録される。
【００２９】
スイッチングハブ１がポート＃２において送信元端末ｂ、宛先端末ａのフレームを受信すると、スイッチングハブ１は、ＦＤＢ１０にＭＡＣアドレス００：００：００：００：００：０ａが登録されているため、フレームをポート＃１から送信し、また、ＦＤＢ１０にＭＡＣアドレス００：００：００：００：００：０ｂとそれに対応するポート＃２を新規に登録する。このようにフィルタリングを行った結果、端末ｂから送信されたフレームが端末ａに中継される。
【００３０】
このとき、スイッチングハブ１は、フィルタリングを行い、かつ、ＦＤＢ１０の新規登録を行ったので、本発明に基づき、フレームの宛先ＭＡＣアドレスをブロードキャストアドレスに書き換え、そのフレームを元のフレームの受信ポート＃２でもなくフィルタリングによる送信ポート＃１でもない他の全てのポート、ここではポート＃３から送信する。
【００３１】
このようにして送信された宛先ＭＡＣアドレスがブロードキャストアドレスのフレームは、スイッチングハブ３のポート＃１において受信される。よって、ＦＤＢ３０にＭＡＣアドレス００：００：００：００：００：０ｂとそれに対応するポート＃１が新規に登録される。このフレームは、さらに端末ｃと端末ｄへ中継され、それぞれ端末ｃと端末ｄにおいて破棄される。
【００３２】
ここまでの動作により、それぞれのスイッチングハブ１，２，３のＦＤＢ１０，２０，３０の状態は図３のようになる。すなわち、全てのスイッチングハブ１，２，３のＦＤＢ１０，２０，３０にＭＡＣアドレス００：００：００：００：００：０ｂとそれに対応するポートが登録されている。
【００３３】
本発明の図３と従来の図９とを比較すると、図９では、端末ｂが送信したフレームがスイッチングハブ１でフィルタリングされてポート＃１のみから送信され、スイッチングハブ３には中継されなかったために、ＦＤＢ３０に端末ｂのＭＡＣアドレスが登録されることがかった。図３では、スイッチングハブ１でフィルタリングの際にＦＤＢ１０に端末ｂのＭＡＣアドレスが新規登録されたので、宛先ＭＡＣアドレスがブロードキャストアドレスで送信元ＭＡＣアドレスが００：００：００：００：００：０ｂのフレームがポート＃１，＃３以外のポートから送信されるので、スイッチングハブ３のＦＤＢ３０に端末ｂのＭＡＣアドレスが登録される。
【００３４】
このように、端末ｂが端末ｄ宛て（または端末ｃ宛て）のフレームを送信しなくとも、端末ｂのＭＡＣアドレスがＦＤＢ３０に登録される。そのため、この後、スイッチングハブ３においては、端末ｂ宛てのフレームはフィルタリングされることになる。よって、スイッチングハブ３において発生するフラッディングの回数を減少させることができる。
【００３５】
次に、他の実施形態を説明する。
【００３６】
図４に示されるように、ＭＡＣアドレス００：００：００：００：００：０ａの端末ａがスイッチングハブ１のポート＃１に接続され、ＭＡＣアドレス００：００：００：００：００：０ｂの端末ｂがスイッチングハブ２のポート＃２に接続され、ＭＡＣアドレス００：００：００：００：００：０ｃの端末ｃがスイッチングハブ３のポート＃２に接続され、ＭＡＣアドレス００：００：００：００：００：０ｄの端末ｄがスイッチングハブ４のポート＃２に接続され、ＭＡＣアドレス００：００：００：００：００：０ｅの端末ｅがスイッチングハブ４のポート＃３に接続されている。スイッチングハブ１のポート＃２はスイッチングハブ２のポート＃１と接続され、スイッチングハブ１のポート＃３はスイッチングハブ３のポート＃１と接続され、スイッチングハブ３のポート＃３はスイッチングハブ４のポート＃１と接続されている。スイッチングハブ１，２，３，４は、それぞれＦＤＢ１０，２０，３０，４０を持つ。
【００３７】
それぞれのスイッチングハブ１，２，３，４のＦＤＢ１０，２０，３０，４０に何も登録されていない状態で、端末ａが端末ｂ宛てにフレームを送信すると、このフレームは、それぞれのスイッチングハブ１，２，３，４でフラッディングされ、端末ｂに中継される。また、ＦＤＢ１０，２０，３０，４０には、００：００：００：００：００：０ａとそれに対応するポートが新規に登録される。その結果、それぞれのＦＤＢ１０，２０，３０，４０の状態は、図４のようになる。つまり、全てのスイッチングハブ１，２，３，４のＦＤＢ１０，２０，３０，４０において、００：００：００：００：００：０ａとそれに対応するポートが登録されている。
【００３８】
端末ｂが端末ａ宛てのフレームを送信した場合、そのフレームは、スイッチングハブ２のＦＤＢ２０にＭＡＣアドレス００：００：００：００：００：０ａが登録されているため、スイッチングハブ２のポート＃１から送信される。また、ＦＤＢ２０にはＭＡＣアドレス００：００：００：００：００：０ｂとそれに対応するポート＃２が新規に登録される。
【００３９】
スイッチングハブ１がポート＃２において送信元端末ｂ、宛先端末ａのフレームを受信すると、スイッチングハブ１は、ＦＤＢ１０にＭＡＣアドレス００：００：００：００：００：０ａが登録されているため、フレームをポート＃１から送信し、また、ＦＤＢ１０にＭＡＣアドレス００：００：００：００：００：０ｂとそれに対応するポート＃２を新規に登録する。このようにフィルタリングを行った結果、端末ｂから送信されたフレームが端末ａに中継される。
【００４０】
このとき、スイッチングハブ１は、フィルタリングを行い、かつ、ＦＤＢ１０の新規登録を行ったので、本発明に基づき、フレームの宛先ＭＡＣアドレスをブロードキャストアドレスに書き換え、そのフレームを元のフレームの受信ポート＃２でもなくフィルタリングによる送信ポート＃１でもない他の全てのポート、ここではポート＃３から送信する。
【００４１】
このようにして送信された宛先ＭＡＣアドレスがブロードキャストアドレスのフレームは、スイッチングハブ３のポート＃１において受信される。よって、ＦＤＢ３０にＭＡＣアドレス００：００：００：００：００：０ｂとそれに対応するポート＃１が新規に登録される。
【００４２】
スイッチングハブ３では、ポート＃１において受信したフレームの宛先ＭＡＣアドレスがブロードキャストアドレスであることから、ポート＃１以外のポートにこのフレームを転送する。スイッチングハブ３のポート＃２から送信されたフレームは端末ｃにおいて破棄され、スイッチングハブ３のポート＃３から送信されたフレームはスイッチングハブ４のポート＃１において受信される。
【００４３】
スイッチングハブ４では、ＦＤＢ４０にＭＡＣアドレス００：００：００：００：００：０ｂとそれに対応するポート＃１が新規に登録され、フレームは端末ｄと端末ｅに中継され、端末ｄと端末ｅにおいて破棄される。
【００４４】
ここまでの動作により、それぞれのスイッチングハブ１，２，３，４のＦＤＢ１０，２０，３０，４０の状態は図５のようになる。すなわち、全てのスイッチングハブ１，２，３のＦＤＢ１０，２０，３０，４０にＭＡＣアドレス００：００：００：００：００：０ｂとそれに対応するポートが登録されている。
【００４５】
このように、スイッチングハブ１でフィルタリングの際にＦＤＢ１０に端末ｂのＭＡＣアドレスが新規登録されたとき、宛先ＭＡＣアドレスがブロードキャストアドレスで送信元ＭＡＣアドレスが００：００：００：００：００：０ｂのフレームがポート＃１，＃２以外のポートから送信されるので、スイッチングハブ１に直接接続されているスイッチングハブ３においてはもちろん、スイッチングハブ１にスイッチングハブ３を介して接続されているスイッチングハブ４においても端末ｂのＭＡＣアドレスが登録される。
【００４６】
このようにして、スイッチングハブ１に直接接続されていないスイッチングハブ４でも端末ｂ宛てのフレームはフィルタリングされるようになる。よって、スイッチングハブ４において発生するフラッディングの回数を減少させることができる。
【００４７】
次に、スイッチングハブの内部構成を説明しておく。
【００４８】
図６に示されるように、スイッチングハブは、後述する諸機能を持つスイッチＬＳＩ６１とＦＤＢ６２と複数のポート６３−１，６３−２，…，６３−ｎを備える。
【００４９】
ＦＤＢ６２は、ＭＡＣアドレスの欄とポートの欄とを有し、ＭＡＣアドレスの欄にはＭＡＣアドレスを記憶し、その欄とひもづけされているポートの欄にはポートをポート番号で記憶することができる。
【００５０】
スイッチＬＳＩ６１の主な機能を列記する。
１．受信フレームの宛先ＭＡＣアドレスを読み出す。
２．受信フレームの送信元ＭＡＣアドレスを読み出す。
３．ＦＤＢのエントリに宛先ＭＡＣアドレスが登録されているかどうか検索する。
登録されているときは、対応するポートへフレームを転送する（フィルタリング）。
登録されていないときは、全てのポートへフレームを転送する（フラッディング）。
４．ＦＤＢのエントリに送信元ＭＡＣアドレスが登録されているかどうか検索する。
登録されているときは、送信元ＭＡＣアドレスとポートを上書きする。
登録されていないときは、                                                            ４−１．送信元ＭＡＣアドレスとポートを新規登録する。
４−２．上記３でフィルタリングの場合、宛先アドレスをブロードキャストアド                レスに変換して全てのポートへフレームを転送する。
上記４−２の機能が本発明によるものである。
【図面の簡単な説明】
【００５１】
【図１】本発明の一実施形態を示すスイッチングハブを用いたネットワークの構成及び状態図である。
【図２】本発明の一実施形態を示すスイッチングハブを用いたネットワークの構成及び状態図である。
【図３】本発明の一実施形態を示すスイッチングハブを用いたネットワークの構成及び状態図である。
【図４】本発明の他の実施形態を示すスイッチングハブを用いたネットワークの構成及び状態図である。
【図５】本発明の他の実施形態を示すスイッチングハブを用いたネットワークの構成及び状態図である。
【図６】本発明のスイッチングハブの内部構成図である。
【図７】従来のスイッチングハブを用いたネットワークの構成及び状態図である。
【図８】従来のスイッチングハブを用いたネットワークの構成及び状態図である。
【図９】従来のスイッチングハブを用いたネットワークの構成及び状態図である。
【図１０】従来のスイッチングハブを用いたネットワークの構成及び状態図である。
【符号の説明】
【００５２】
１，２，３，４  スイッチングハブ
１０，２０，３０，４０  ＦＤＢ
ａ，ｂ，ｃ，ｄ，ｅ  端末
＃１，＃２，＃３  各々のスイッチングハブのポート
【図１】
2007067894.tif 000003
【図２】
2007067894.tif 000004
【図３】
2007067894.tif 000005
【図４】
2007067894.tif 000006
【図５】
2007067894.tif 000007
【図６】
2007067894.tif 000008
【図７】
2007067894.tif 000009
【図８】
2007067894.tif 000010
【図９】
2007067894.tif 000011
【図１０】
2007067894.tif 000012